(57)【要約】【課題】レンズ押さえにより測定光束が阻害されない眼鏡レンズの光学特性測定方法及びレンズメータを提供すること。【解決手段】メガネ５の左右の眼鏡レンズＬＬ，ＬＲを左右一対の測定光学系９Ｌ，９Ｒの光路途中のレンズ受軸１７ａ，２８ａでそれぞれ点で支持させて、眼鏡レンズＬＬ，ＬＲの眼鏡フレームＭＦを前後方向から一対のフレーム保持板３６，３７で保持させる様にしている。そして、この状態で眼鏡レンズＬＬ，ＬＲをレンズ押さえ軸６８Ｌ，６８Ｒでレンズ受軸１７ａ，２８ａに対して押圧支持させることにより、フレーム保持板３６，３７による眼鏡フレームＭＦの保持状態を修正させる様にしている。しかも、修正後は、レンズ押さえ軸６８Ｌ，６８Ｒを測定光学系９Ｌ，９Ｒの測定光路から退避させて、眼鏡レンズＬＬ，ＬＲを透過するレンズ受軸１７ａ，２８ａの周囲の測定光束を測定光学系９Ｌ，９ＲのＣＣＤ２４に受光させて、ＣＣＤ２４からの測定信号を基に眼鏡レンズＬＬ，ＬＲの光学特性を演算制御回路８０により求めるようにしている。【選択図】　図１
2004045204.tif 000002
【特許請求の範囲】
【請求項１】
メガネの左右の眼鏡レンズを左右一対の測定光学系の光路途中のレンズ受でそれぞれ点で支持させると共に、前記眼鏡レンズの眼鏡フレームを前後方向から一対のフレーム保持部材で保持させた後、前記眼鏡レンズをレンズ押さえ部材で前記レンズ受に対して押圧支持させることにより、フレーム保持部材による前記眼鏡フレームの保持状態を修正させ、前記レンズ押さえ部材を前記測定光学系の測定光路から退避させて、前記眼鏡レンズを透過する前記レンズ受の周囲の測定光束を前記測定光学系の受光素子に受光させて、前記受光素子からの測定信号を基に前記眼鏡レンズの光学特性を演算制御回路により求めるようにしたことを特徴とする眼鏡レンズの光学特性測定方法。
【請求項２】
メガネの左右の眼鏡レンズを点で支持可能な左右一対のレンズ受と、前記レンズ受に眼鏡レンズが支持されたメガネの眼鏡フレームを前後方向から挟持可能な一対のフレーム保持部材と、前記レンズ受に支持された眼鏡レンズに対して進退して前記眼鏡レンズをレンズ受に対して押圧支持するレンズ押さえ部材と、前記一対のレンズ受に載置される眼鏡レンズの屈折特性を前記レンズ受の周囲の測定光束によりそれぞれ測定可能な左右一対の測定光学系と、前記測定光学系の受光素子からの測定信号を基に前記眼鏡レンズの光学特性を求める演算制御回路を備えるレンズメータであって、
前記レンズ押さえは、前記眼鏡レンズをレンズ受に対して押さえる押さえ位置と、前記押さえ位置及び前記測定光学系の光路から退避した退避位置との間で移動可能に設けられていると共に、前記レンズ受に眼鏡レンズを支持させたメガネの眼鏡フレームが前記一対のフレーム保持部材で保持されると同時に前記レンズ押さえが退避位置にあるときに、前記演算制御回路は前記受光素子からの測定信号を基に前記眼鏡レンズの屈折特性を測定するように設定されていることを特徴とするレンズメータ。
【請求項３】
前記一対のフレーム保持部材の対向面は下方に向けて傾斜させられてテーパ状となっていることを特徴とする請求項２に記載のレンズメータ。
【請求項４】
前記一対のフレーム保持部材間には前記レンズ受に載置される眼鏡レンズの眼鏡フレームを検出するフレーム検出手段が設けられ、前記一対のフレーム保持部材を保持部材駆動手段により相対接近・離反させるフレーム保持機構が設けられ、前記レンズ押さえを前記押さえ位置と前記退避位置に移動駆動させる押さえ部材駆動手段が設けられていると共に、
前記演算制御回路は、フレーム検出手段からのフレーム検出信号に基づいて前記フレーム保持機構の保持部材駆動手段を作動制御することにより、前記一対のフレーム保持部材を互いに接近させて、前記眼鏡フレームを前記一対のフレーム保持部材間で保持させた後、前記押さえ部材駆動手段を作動制御して前記レンズ押さえを前記押さえ位置に移動させることにより、前記眼鏡レンズをレンズ押さえで一旦押さえさせ、次に前記レンズ押さえを押さえ位置から退避位置まで移動させる様に設定されていることを特徴とする請求項２又は３に記載のレンズメータ。
【請求項５】
前記フレーム検出手段は、左右一対の測定光学系の中央に配置され且つ前後に移動可能な鼻当支持部材と、前記鼻当支持部材を前側に付勢する付勢手段と、前記鼻当支持部材が後方に移動させられたときにこの移動を検出するスイッチを備えることを特徴とする請求項２〜４のいずれか一つに記載のレンズメータ。
【発明の詳細な説明】
【０００１】
【発明の属する技術分野】
この発明は、メガネ（眼鏡）の左右の眼鏡レンズの屈折特性を２つの測定光学系で個々に測定できるようにした眼鏡レンズの光学特性測定方法及びレンズメータに関するものである。
【０００２】
【従来の技術】
従来のレンズメータは、本体ケースの前面の上部及び下部に上下に間隔を置いて突設された上収納突部及び下収納突部と、この下収納突部の上面に設けられた一つのレンズ受と、左右に延び且つレンズ受に対して前後に移動操作可能に本体ケースに装着されたレンズテーブルと、レンズテーブルに左右動可能且つ上下動可能に装着された鼻当支持部材と、レンズ受に載置されるレンズの屈折特性を測定する測定光学系を有するものが知られている。このレンズメータにおいて測定光学系は、本体ケース及び上収納突部内に設けられた照明光学系と、下収納突部及び本体ケース内に設けられた受光光学系を備えている。
【０００３】
そして、このレンズメータにおいては、メガネの鼻当を鼻当支持部材に支持させると共にメガネフレームの左右のレンズ枠をレンズテーブルの前面に当接させて、鼻当支持部材を左右及び上下に移動操作すると共にレンズテーブルを前後に移動操作して、左右の眼鏡レンズの一方をレンズ受に当接させ、測定光学系により一方の眼鏡レンズの屈折特性を測定するようにしている。また、他方の眼鏡レンズを測定する場合には、他方の眼鏡レンズをレンズ受に当接するようにメガネフレームを上述と同様に移動操作していた。
【０００４】
【発明が解決しようとする課題】
しかしながら、従来のレンズメータでは、左右の眼鏡レンズを測定する場合、一つのレンズ受に対して眼鏡レンズを入れ替えて当接支持させる必要があり、面倒であった。
【０００５】
これを解消するレンズメータとしては、メガネの左右の眼鏡レンズを測定する光学系を一対設けたものが考えられる。このレンズメータでは、各受光光学系の測定光軸上において眼鏡レンズの正確な屈折特性を測定するために、眼鏡レンズの下面と受光光学系の受光手段までの距離を一定にする必要がある。このために、レンズ受として軸状のレンズ受を左右の測定光学系の光路途中に設けて、眼鏡レンズの下面と受光光学系の受光手段までの距離を一定にする様にすることが考えられている。
【０００６】
また、この様なレンズメータとしては、軸状（ピン状）のレンズ受の周囲を通る測定光束を利用して、眼鏡レンズの多数の点の光学特性を同時に測定して、測定結果に基づく多数の点の屈折力等をマッピング表示するようにしたものも考えられている。この場合、レンズ受に支持される眼鏡レンズが測定に際して動くのを防止するために、レンズ押さえで眼鏡レンズをレンズ受に押さえ付けるようにしている。
【０００７】
しかしながら、この様なレンズ押さえで眼鏡レンズを押さえ付けているので、レンズ押さえのある部分は測定光束の眼鏡レンズへの投影が阻害され、正確な測定ができない部分が生じるものであった。
【０００８】
そこで、この発明は、この様なレンズ押さえにより測定光束が阻害されない眼鏡レンズの光学特性測定方法及びレンズメータを提供することを目的とするものである。
【０００９】
【課題を解決するための手段】
この目的を達成するため、請求項１の発明のレンズの光学特性測定方法は、メガネの左右の眼鏡レンズを左右一対の測定光学系の光路途中のレンズ受でそれぞれ点で支持させると共に、前記眼鏡レンズの眼鏡フレームを前後方向から一対のフレーム保持部材で保持させた後、前記眼鏡レンズをレンズ押さえ部材で前記レンズ受に対して押圧支持させることにより、フレーム保持部材による前記眼鏡フレームの保持状態を修正させ、前記レンズ押さえ部材を前記測定光学系の測定光路から退避させて、前記眼鏡レンズを透過する前記レンズ受の周囲の測定光束を前記測定光学系の受光素子に受光させて、前記受光素子からの測定信号を基に前記眼鏡レンズの光学特性を演算制御回路により求めるようにしたことを特徴とする。
【００１０】
また、上述した目的を達成するため、請求項２のレンズメータは、メガネの左右の眼鏡レンズを点で支持可能な左右一対のレンズ受と、前記レンズ受に眼鏡レンズが支持されたメガネの眼鏡フレームを前後方向から挟持可能な一対のフレーム保持部材と、前記レンズ受に支持された眼鏡レンズに対して進退して前記眼鏡レンズをレンズ受に対して押圧支持するレンズ押さえ部材と、前記一対のレンズ受に載置される眼鏡レンズの屈折特性を前記レンズ受の周囲の測定光束によりそれぞれ測定可能な左右一対の測定光学系と、前記測定光学系の受光素子からの測定信号を基に前記眼鏡レンズの光学特性を求める演算制御回路を備えるレンズメータであって、前記レンズ押さえは、前記眼鏡レンズをレンズ受に対して押さえる押さえ位置と、前記押さえ位置及び前記測定光学系の光路から退避した退避位置との間で移動可能に設けられていると共に、前記レンズ受に眼鏡レンズを支持させたメガネの眼鏡フレームが前記一対のフレーム保持部材で保持されると同時に前記レンズ押さえが退避位置にあるときに、前記演算制御回路は前記受光素子からの測定信号を基に前記眼鏡レンズの屈折特性を測定するように設定されていることを特徴とする。
【００１１】
更に、請求項３の発明は、請求項２に記載のレンズメータにおいて、前記一対のフレーム保持部材の対向面は下方に向けて傾斜させられてテーパ状となっていることを特徴とする。
【００１２】
また、請求項４に記載の発明は、請求項２又は３のレンズメータにおいて、前記一対のフレーム保持部材間には前記レンズ受に載置される眼鏡レンズの眼鏡フレームを検出するフレーム検出手段が設けられ、前記一対のフレーム保持部材を保持部材駆動手段により相対接近・離反させるフレーム保持機構が設けられ、前記レンズ押さえを前記押さえ位置と前記退避位置に移動駆動させる押さえ部材駆動手段が設けられていると共に、前記演算制御回路は、フレーム検出手段からのフレーム検出信号に基づいて前記フレーム保持機構の保持部材駆動手段を作動制御することにより、前記一対のフレーム保持部材を互いに接近させて、前記眼鏡フレームを前記一対のフレーム保持部材間で保持させた後、前記押さえ部材駆動手段を作動制御して前記レンズ押さえを前記押さえ位置に移動させることにより、前記眼鏡レンズをレンズ押さえで一旦押さえさせ、次に前記レンズ押さえを押さえ位置から退避位置まで移動させる様に設定されていることを特徴とする。
【００１３】
更に、請求項５の発明は、請求項２〜４のいずれか一つに記載のレンズメータにおいて、　前記フレーム検出手段は、左右一対の測定光学系の中央に配置され且つ前後に移動可能な鼻当支持部材と、前記鼻当支持部材を前側に付勢する付勢手段と、前記鼻当支持部材が後方に移動させられたときにこの移動を検出するスイッチを備えることを特徴とする。
【００１４】
【発明の実施の形態１】
以下、この発明の実施の形態１を図面に基づいて説明する。
［構成］
＜装置本体＞
図１は本発明に係わるレンズメータの正面図、図２は図１のレンズメータの右側面図である。
【００１５】
この図１，図２において、１は装置本体（本体ケース）である。この装置本体１は、上部筐体部２と下部筐体部３及びこれらを連設している連設筐体部４から側面形状が図２に示したように略コ字状に形成されている。この上部筐体部２と下部筐体部３との間は、図５に示したメガネ（眼鏡）５のセット空間６とされている。尚、連設筐体部４は、後部側の筐体部４ｂが前壁４ａ側から着脱可能となっている。
【００１６】
尚、メガネ５は、本実施例では、メガネフレームＭＦ、メガネフレームＭＦの左右のレンズ枠ＬＦ，ＲＦに枠入れされた眼鏡レンズＬＬ，ＲＬと、左右のレンズ枠ＬＦ，ＲＦを連設しているブリッジＢと、左右のレンズ枠ＬＦ，ＲＦ等に設けられる鼻当ＮＰと、左右のレンズ枠ＬＦ，ＲＦに設けられたテンプルＬＴ，ＲＴを有する。
【００１７】
また、下部筐体部３は上壁７を有し、この上壁７の左右の部分には開口８Ｌ，８Ｒが図１に示したように形成されている。この下部筐体３内は、左右の中央に配設された仕切壁３ａにより、左右の空間（室）３Ｌ，３Ｒに区画されている。しかも、装置本体１は、左右一対の測定光学系９Ｌ，９Ｒを有する。
＜測定光学系９Ｌ，９Ｒ＞
（左の測定光学系９Ｌ）
測定光学系９Ｌは、上部筐体部２内に内蔵された投光光学系（照明光学系）１０Ｌと、下部筐体部３に内蔵された受光光学系１１Ｌを有する。
【００１８】
投光光学系１０Ｌは、測定光束投影用の光源であるＬＥＤ１２，１３、ダイクロイックミラー１４Ｌ、反射ミラー１５及びコリメートレンズ１６を備えている。ＬＥＤ１２は赤外光を発し、ＬＥＤ１３は赤色光（波長６３０ｎｍ）を発する。ダイクロイックミラー１４ＬはＬＥＤ１２からの赤外光を反射し、ＬＥＤ１３からの赤色光を透過する。コリメートレンズ１６はＬＥＤ１２，１３から発生した発散光束を測定光束としての平行光束に変換する役割を果たす。尚、反射ミラー１５は中央部から左側の半分が用いられる。
【００１９】
また、受光光学系１１Ｌは、開口８Ｌに取り付けられたハルトマンのパターン板１７、上面にスクリーン１８ａが設けられたフィールドレンズ１８、反射ミラー１９，２０，２１、光路合成プリズム２２、結像レンズ２３、ＣＣＤ（受光素子、受光手段）２４を有する。パターン板１７には多数の光透過部（図示せず）がマトリックス状に設けられている。
【００２０】
このパターン板１７の中央部上には、軸状（ピン状）のレンズ受軸（レンズ受）１７ａが基準ピンとして一体に上方に向けて突設されている。このレンズ受軸１７ａは、上端部が半球状に形成されていると共に、軸線が測定光学系９Ｌの光軸ＯＬと一致するように配設されている。
（右の測定光学系９Ｒ）
測定光学系９Ｒは、上部筐体部２内に内蔵された投光光学系（照明光学系）１０Ｒと、下部筐体部３に内蔵された受光光学系１１Ｒを有する。
【００２１】
投光光学系１０Ｒは、測定光束投影用の光源であるＬＥＤ２５，２６、ダイクロイックミラー１４Ｒ、反射ミラー１５及びコリメートレンズ２７を備えている。ＬＥ２５は赤外光を発し、ＬＥＤ２６は赤色光（波長６３０ｎｍ）を発する。上述したダイクロイックミラー１４ＲはＬＥＤ２５からの赤外光を反射し、ＬＥＤ２６からの赤色光を透過する。コリメートレンズ２７はＬＥＤ２５，２６から発生した発散光束を測定光束としての平行光束に変換する役割を果たす。尚、反射ミラー１５は中央部から右側の半分が用いられる。
【００２２】
また、受光光学系１１Ｒは、開口８Ｌに取り付けられたハルトマンのパターン板２８、上面にスクリーン２９ａが設けられたフィールドレンズ２９、反射ミラー３０，３１、光路合成プリズム２２、結像レンズ２３、ＣＣＤ（受光素子、受光手段）２４を有する。パターン板２８には多数の光透過部（図示せず）がマトリックス状に設けられている。
【００２３】
このパターン板２８の中央部上には、軸状（ピン状）のレンズ受軸（レンズ受）２８ａが基準ピンとして一体に上方に向けて突設されている。このレンズ受軸２８ａは、上端部が半球状に形成されていると共に、軸線が測定光学系９Ｒの光軸ＯＲと一致するように配設されている。
＜フレーム保持機構＞
また、装置本体１には、メガネ５の左右の眼鏡レンズＬＬ，ＲＬをレンズ受軸１７ａ，２８ａに支持させたときに、このメガネ５のメガネフレームＭＦを保持するフレーム保持機構が設けられている。また、上壁７の前縁部及び後縁部の左右方向中央部分３２，３３には、図９に示したように隔壁３ａに沿って前後方向に延びるスリット３４，３５がそれぞれ形成されている。
【００２４】
また、このフレーム保持機構３２は、左右に延び且つ前側上壁７の後縁部及び前縁部上にそれぞれ配設された一対の板状のフレーム保持板３６，３７をフレーム保持部材（レンズ保持部材、レンズ枠保持部材）として有する。このフレーム保持板３６，３７の対向面３６ａ，３７ａは、図２，図６，図８に示したように下方に向けて僅かに傾斜させられて、傾斜面となっている。
【００２５】
更に、このフレーム保持機構（レンズ枠保持機構）は、下部筐体部３内に配設された一対のリンク板（移動部材、スライド板）３８，３９を有する（図８，図１１，図１２参照）。このリンク板３８，３９は、仕切壁３ａの一側面の上部に沿って前後に向けて配設されている。
【００２６】
このリンク板３８は、図８，図１４に示したように一端部に上方に向けて突設された取付片３８ａと、図８，図１２，図１４に示したように左右に間隔をおいて形成されたスリット３８ｂ，３８ｃと、他端部に下方に向けて突設された係合片３８ｄと、係合片３８ｄに下方に向けて形成された係合切欠３８ｅを有する。そして、取付片３８ａは、スリット３５を介して上壁７の上方に突出すると共に、フレーム保持板３６に取り付けられている。
【００２７】
また、リンク板３９は、長手方向の中間部に上方に向けて突設された取付片３９ａと、一端部及び中間部に形成されたスリット３９ｂ，３９ｃと、他端部に上方に向けて突設された係合片３９ｄと、係合片３９ｄに上方に向けて形成された係合切欠３９ｅを有する。そして、取付片３９ａは、スリット１１７を介して上壁７の上方に突出すると共に、フレーム保持板３７に取り付けられている。
【００２８】
しかも、ガイドネジ４０は、リンク板３８，３９のスリット３８ｂ，３９ｂにそれぞれ挿通された後、先端部が隔壁３ａに螺着されている。また、ガイドネジ４１は、リンク板３８，３９のスリット３８ｃ，３９ｃにそれぞれ挿通された後、先端部が隔壁３ａに螺着されている。このガイドネジ４０，４１は、リンク板３８，３９を長手方向に相対的にスライド変位可能に結合（係合）させている。
【００２９】
更に、フレーム保持機構は、図７，図８，図１１に示したように下部筐体部３の上部及び仕切壁３ａに対応して連設筐体部４の前壁４ａに形成された開口４２と、開口４２の側縁に後方（下部筐体部３内）に向けて突設された支持片４３と、この支持片４３に取り付けられた支持ネジ４４を有する。
【００３０】
この支持ネジ４４は、開口４２側に位置する頭部４４ａと、頭部４４ａに連設された大径軸部４４ｂと、大径軸部４４ｂに連設されたネジ部４４ｃを有する。そして、支持ネジ４４は、ネジ部４４ｃを支持片４３に螺着することにより、支持片４３に取り付けられている。また、ネジ部４４ｃは、支持片４３を貫通して開口４２側とは反対側に突出している。そして、ネジ部４４ｃの突出部には、図１１に示したようにリング状のスペーサ４５が装着されていると共に、ナット４６が螺着されている。このナット４６は、スペーサ４５側に小径軸部４６ａを有すると共に、スペーサ４５を支持片４３に固定している。
【００３１】
また、フレーム保持機構は、大径軸部４４ｂに回転自在に保持された回転板（連結部材）４７と、回転板４７のリンク板３８，３９側の部分に１８０°の間隔をおいて取り付けられた係合ピン４８，４９と、支持片４３側に突設された係合ピン５０を有する。そして、係合ピン４８，４９にはリンク板３８，３９の係合切欠３８ｅ，３９ｅが係合している。しかも、リンク板３８，３９の取付片３８ａ，３９ａの基部間にはコイルスプリング５１が介装されていて、コイルスプリング５１はフレーム保持板３６，３７が互いに接近する方向にリンク板３８，３９をバネ付勢している。
【００３２】
更に、ナット４６の小径筒部４６ａにはギヤ５２がベアリング５３を介して回転自在に保持され、ギヤ５２の側面には係合ピン５０に周方向から係合する係合突部５３が一体に設けられている。このギヤ５２の近傍には、連設筐体部４の前壁４ａに取り付けたパルスモータ等の駆動モータ（駆動手段）５４が配設されている。この駆動モータ５４にはパルスモータを用いることができる。また、この駆動モータ５４に出力軸５４ａにはギヤ５２に噛合するピニオン５５が取り付けられている。しかも、仕切壁３ａには、フレーム保持板３６，３７間が最大に開いたときの、リンク板３８の移動停止位置を検出するリミットスイッチ５６が位置検出手段として取り付けられている。
＜鼻当支持機構＞
また、上壁７の上には、図９に示したように開口８Ｌ，８Ｒ間及びフレーム保持板３６，３７間に位置させて半円柱状の鼻当支持部材５７が配設されている。この鼻当支持部材（フレーム位置決部材）５７は、上下に向けて延びていると共に、平面形状が半円状に形成されている。この鼻当支持部材５７の下端には支持軸５８が突設されている。
【００３３】
更に、上壁７には、図９，図１０に示したように、開口８Ｌ，８Ｒ間に位置させて前後に延びるスリット５９が形成されている。このスリット５９には、鼻当支持部材５７の下端に突設された支持軸５８が挿通されている。更に、上壁７の上下にはスリット５９に沿って延びる支持板６０，６１が配設され、支持軸５８は支持板６０，６１を貫通している。しかも、支持板６０，６１間には支持軸５８に嵌合したスペーサ筒６２が介装され、支持軸５８の下端部には固定ナット６３が螺着されている。この固定ナット６３は、支持板６０，６１及びスペーサ筒６２を鼻当支持部材５７に一体に固定している。
【００３４】
このスペーサ筒６２は、長手方向に移動可能に且つ幅方向には移動しないようにスリット５９内に配設されている。しかも、スペーサ筒６２は、上壁７の板厚寸法よりも僅かに長く形成されていて、支持板６０，６１が上壁７の板面に沿って移動可能に設けられている。尚、支持軸５８と支持板６０，６１は相対回転しないようになっている。
【００３５】
また、支持板６１のバネ係止突部６１ａと仕切壁３ａのバネ係止突部３ｂとの間にはコイルスプリングＳが介装されていて、コイルスプリングＳは支持板６０，６１及び鼻当支持部材５７をフレーム保持板３６側に付勢している。しかも、仕切壁３ａには、支持板６１のフレーム保持板３７側端部６１ａに対応させて、マイクロスイッチ６４が移動検出手段として取り付けられている。このマイクロスイッチ６４は、鼻当支持部材５７がフレーム保持板３７側に移動させられて、支持板６０，６１がフレーム保持板３７側に移動させられたときに、アクチュエータ６４ａが支持板６１の端部６１ａにより押圧されてＯＮすることにより、鼻当支持部材５７の移動操作を検出するようになっている。
＜レンズ押さえ機構＞
また、連設筐体部４の前壁４ａには、図１，図２，図６，図７に示したようにレンズ押さえ機構６５がレンズ押さえ手段として設けられている。このレンズ押さえ機構６５は、フレーム保持板３７の上方に位置させて前壁４ａの左右の側部に回転自在にそれぞれ取り付けられた回転軸６６Ｌ，６６Ｒを有する。この回転軸６６Ｌ，６６Ｒは、前壁４ａから手前側に突出している共に、互いに平行に且つ前後方向に延びている。
【００３６】
更に、レンズ押さえ機構６５は、回転軸６６Ｌ，６６Ｒの側部にそれぞれ固定されたＬ字状のアーム６７Ｌ，６７Ｒと、アーム６７Ｌの先端部に取り付けられた一対のレンズ押さえ軸６８Ｌ（図１９（ｂ）参照）、アーム６７Ｒの先端部に取り付けられた一対のレンズ押さえ軸６８Ｒ（図１９（ｂ）参照）を有する。
【００３７】
尚、レンズメータ１を正面から見たときに一対のレンズ押さえ軸６８Ｌ及び６８Ｒはそれぞれ一つしか見えないが、図１９（ａ）のレンズメータ１を右側面から見たときに、図１９（ｂ）の様にレンズ押さえ軸６８Ｒは一対見える。このときに、一対のレンズ押さえ軸６８Ｌは一対のレンズ押さえ軸６８Ｒと重なる位置にある。従って、説明の便宜上、一対のレンズ押さえ軸６８Ｌの符号を一対のレンズ押さえ軸６８Ｒの符号の部分に記載して説明する。このレンズ押さえ軸６８Ｌ，６８Ｒは先端部がピン状に形成されている。
【００３８】
また、レンズ押さえ軸６８Ｌ，６８Ｒは、アーム６７Ｌ，６７Ｒが図１，図２の如く起立させられたとき、先端部が図１の如く互いに対向するようになっている。
【００３９】
このレンズ押さえ軸６８Ｌ，６８Ｌ（６８Ｒ，６８Ｒ）は、アーム６７Ｌ（６７Ｒ）が図６の如く水平に倒されたときに、基準ピンであるレンズ受１７ａ（２８ａ）の軸線、即ち光軸ＯＬ（ＯＲ）の両側に位置するようになっている。
【００４０】
また、レンズ押さえ機構６５は、図６，図７に示したように、連設筐体部４内において回転軸６６Ｌ，６６Ｒにそれぞれ固定されたセクタ状の回転板６９Ｌ，６９Ｒと、回転板６９Ｌ，６９Ｒの下縁部に連設された細幅の係合片７０Ｌ，７０Ｒと、回転板６９Ｌ，６９Ｒの下縁部に設けられたバネ係止部７１Ｌ，７１Ｒと、バネ係止部７１Ｌ，７１Ｒの下方に位置させて前壁４ａに突設されたバネ係止部７２Ｌ，７２Ｒと、バネ係止部７１Ｌ，７２Ｌ間に介装された引張りコイルスプリング７３Ｌと、バネ係止部７１Ｒ，７２Ｒ間に介装された引張りコイルスプリング７３Ｒを有する。
【００４１】
更に、レンズ押さえ機構６５は、連設筐体部４内において前壁４ａの上部に取り付けられたパルスモータ等の駆動モータ７４を有する。この駆動モータ７４は、出力軸７４ａが上下方向に向けられていると共に、出力軸７４ａが連設筐体部４の左右方向の中央部に配設されている。そして、出力軸７４ａにはピニオン７５が取り付けられている。また、前壁４ａには駆動モータ７４の下方に位置させてＬ字状のブラケット７６が取り付けられている。このブラケット７６には前壁４ａに沿って上下に延びる送りネジ７７の上端部が回転自在に且つ上下移動不能に保持されている。尚、図示は省略したが、ブラケット７６に筒状の軸受を上下に向けて固定し、この軸受に送りネジ７７の上端部を回転自在に且つ上下移動不能に保持する。また、軸受は上下に間隔をおいて複数設けても良い。更に、送りネジ７７の上下端部を軸受で前壁４ａに回転自在に保持しても良い。
【００４２】
この送りネジ７７の上端部にはピニオン７５に噛合するギヤ７８が取り付けられている。この送りネジ７７は連設筐体部４の左右方向の中央部に配設され、この送りネジ７７の下部のネジ部７７ａには昇降部材７９が螺着されている。この昇降部材７９の下端部には図７中左右に延びるフランジ７９ａが前壁４ａ向けて突設されている。このフランジ７９ａは、前壁４ａに当接させられていて、昇降部材７９の昇降により前壁４ａに対して上下に摺接移動する様になっている。そして、このフランジ７９ａ上には係合片７０Ｌ，７０Ｒの先端部が引張りコイルスプリング７３Ｌ，７３Ｒのバネ力によりそれぞれ当接させられている。
＜制御回路＞
上述したＣＣＤ２４の出力（測定信号）は図５の演算制御回路（演算制御手段）８０に入力され、リミットスイッチ５６及びマイクロスイッチ６４は演算制御回路８０に接続されている。また、演算制御回路８０は、ＬＥＤ１２，１３，２５，２６を点灯制御し、駆動モータ５４及び７４を作動制御する様になっている。また、この演算制御回路８０には測定開始スイッチＳａが接続されている。
［作用］
次に、この様な構成のレンズメータの作用を説明する。
（電源投入前）
このレンズメータの電源を投入する前には、図８に示したように、ギヤ５２の係合突部５３が二点鎖線で示した位置に位置させられている。この位置では、コイルスプリング５１の張力を小さくさせるために、図８，図１５（ｂ）に示したように、フレーム保持板３６，３７がコイルスプリング５１の引張り力（バネ力）により二点鎖線で示した位置に位置させられていて、フレーム保持板３６，３７の間隔が最小となっている。この位置では、係合ピン４８，４９，５０が二点鎖線で示した位置に位置させられていて、係合突部５３が係合ピン５０から時計回り方向に僅かに離れている。
【００４３】
また、レンズメータの電源を投入する前には、コイルスプリング７３Ｌ，７３Ｒの引張り力（バネ力）を小さくするために、昇降部材７９が図７に実線で示したように送りネジ７７のネジ部７７ａの下端部に位置させられている。この位置では、回転板６９Ｌ，６９Ｒの係合片７０Ｌ，７０Ｒが実線で示したようにコイルスプリング７３Ｌ，７３Ｒの引張り力（バネ力）により下方に傾斜させられた状態となっていて、アーム６７Ｌ，６７Ｒが水平に倒された状態となっている。（電源投入による初期化）
この様な状態からレンズメータの電源を投入すると演算制御回路８０は、鼻当支持部材５７の移動を検出すると、駆動モータ５４を作動制御してピニオン５５を回転させ、このピニオン５５によりギヤ５２を図８中反時計回り方向に回転させる。この回転に伴いギヤ５２の側面に突設した係合突部５３は、回転板４７の係合ピン５０に当接した後、この係合ピン５０を図８中反時計回り方向に回転させて、回転板４７を反時計回り方向に回転させる。
【００４４】
この回転板４７に回転に伴い、係合ピン４８，４９が回転板４７と一体に二点鎖線で示した位置から反時計回り方向に回転させられ、リンク板３８，３９がコイルスプリング５１の引張り力（バネ力）に抗して互いに反対方向に変位させられる。即ち、図８中、リンク板３８は図示を省略した位置から右方に実線で示した位置まで変位させられ、リンク板３９は図示を省略した位置から左方に実線で示した位置まで変位させられる。このリンク板３８が図８の実線で示した位置まで変位させられると、このリンク板３８の端部によりリミットスイッチ５６がＯＮさせられ、このＯＮ信号が演算制御回路８０に入力される。この演算制御回路８０は、リミットスイッチ５６からのＯＮ信号が入力されると、駆動モータ５４の作動を停止させる。
【００４５】
このリンク板３８，３９の相対変位により、フレーム保持板３６，３７が図８，図１５（ｂ）中、二点鎖線で示した位置から実線で示した位置まで矢印８２，８３で示した方向（互いに反対方向）に変位させられて、フレーム保持板３６，３７の間隔が最大に広がり、測定作業の待機状態となる。
【００４６】
一方、レンズメータの電源を投入すると、演算制御回路８０は図６，図７の駆動モータ７４を作動させてピニオン７５を回転させ、このピニオン７５の回転をギヤ７８を介して送りネジ７７に伝達させ、昇降部材７９が図７に二点鎖線で示したように送りネジ７７のネジ部７７ａの上端部まで移動させる。これにより、測定を開始する前には、回転板６９Ｌ，６９Ｒの係合片７０Ｌ，７０Ｒが上方に二点鎖線で示したように傾斜させられた状態となっていて、アーム６７Ｌ，６７Ｒが図１，図２の如く起立させられ、レンズ押さえ軸６８Ｌ，６８Ｒの先端部が図１の如く互いに対向させられて、測定作業の待機状態となる。
（メガネの配設及び保持）
この様な状態においてレンズメータによりメガネ５の屈折特性等の光学特性を測定するには、先ず図１６（ａ），（ｂ）に示したように、メガネ５の鼻当ＮＰ，ＮＰを鼻当支持部材５７の上端部の前面に当接させて、メガネ５を鼻当支持部材５７に対してフレーム保持板３７側に押圧することにより、鼻当支持部材５７を図１６（ｂ）の矢印８１で示した様にフレーム保持板３７側にコイルスプリングＳのバネ力に抗して移動させると共に、メガネ５の眼鏡フレームＭＦを下げてフレーム保持板３６，３７間に配設する。
【００４７】
この際、鼻当支持部材５７の移動により、支持板６０，６１がフレーム保持板３７側に鼻当支持部材５７と一体に移動させられると、マイクロスイッチ６４のアクチュエータ６４ａが支持板６１の端部６１ａにより押圧されてＯＮさせられる。このＯＮ信号は演算制御回路８０に入力され、鼻当支持部材５７の移動操作が検出される。
【００４８】
そして、演算制御回路８０は、マイクロスイッチ６４からのＯＮ信号が入力されると、駆動モータ５４を所定数の駆動パルスで作動制御してピニオン５５を所定回転数だけ回転させ、このピニオン５５によりギヤ５２を図８中時計回り方向に回転させて、ギヤ５２の側面に突設した係合突部５３を時計回り方向に回転させる。この駆動モータ５４の回転は、係合突部５３が二点鎖線で示した位置に移動するまで回転させる。尚、この位置はマイクロスイッチやリミットスイッチ等で検出して、駆動モータ５４を停止させるようにすることもできる。
【００４９】
これに伴い、回転板４７の係合ピン５０は、コイルスプリング５１のバネ力により係合突部５３に追従して図８中時計回り方向に回転させられ、回転板４７が時計回り方向に係合ピン５０と一体に回転する。
【００５０】
この回転板４７に回転に伴い、係合ピン４８，４９が回転板４７と一体に実線で示した位置から時計回り方向に回転させられ、リンク板３８，３９がコイルスプリング５１の引張り力（バネ力）により互いに反対方向に変位させられる。この際、リンク板３８が図８中左方に変位させられて、リンク板３８と一体のフレーム保持板３６が図８中矢印８４で示したように左方に変位させられると共に、リンク板３９が右方に変位させられて、リンク板３９と一体のフレーム保持板３７が図８中矢印８５で示したように右方に変位させられる。
【００５１】
これにより、フレーム保持板３６，３７は、図１７（ｂ）に矢印８４，８５で示したように互いに接近する方向に移動して、図１８（ｂ）の如くメガネ５の眼鏡フレームＭＦを傾斜する対向面３６ａ，３７ａ間で保持（挟持）する。
【００５２】
尚、この様に眼鏡フレームＭＦを傾斜する対向面３６ａ，３７ａ間で保持（挟持）している状態では、リミットスイッチ６４が支持板６１でＯＮさせられた状態となっている。また、本実施例では、図５に示したように眼鏡フレームＭＦのレンズ枠ＬＦと眼鏡レンズＬＬは略同じ厚さであり、眼鏡フレームＭＦのレンズ枠ＲＦと眼鏡レンズＬＲは略同じ厚さであるので、図１６〜図２０では符号ＬＬを符号ＬＦと同じ部分に付し、符号ＬＲを符号ＲＦと同じ部分に付して説明する。
（眼鏡フレームのセット状態の修正）
次に、測定開始スイッチＳａを押すと演算制御回路８０は、駆動モータ７４を所定数の駆動パルスで作動制御してピニオン７５を回転させ、この回転をギヤ７８を介して送りネジ７７に伝達させ、この送りネジ７７により昇降部材７９を二点鎖線で示した位置から下方に移動させる。この際、駆動モータ７４の作動は、昇降部材７９が送りネジ７７の下端部に達するまで行われる。そして、昇降部材７９が送りネジ７７の下端部に達すると駆動モータ７４の作動が停止させられる。尚、この様な動作は、パルスモータである駆動モータ７４を所定回転数だけ回転させることにより行うことができる。しかし、この昇降部材７９の上下の移動位置はマイクロスイッチ等で位置検出手段で検出して、この位置検出手段からの検出信号により駆動モータ７４の作動停止を行うようにしても良い。
【００５３】
そして、昇降部材７９の下方への移動に伴い、回転板６９Ｌ，６９Ｒの係合片７０Ｌ，７０Ｒの先端部が昇降部材７９のフランジ７９ａに追従して下方に移動し、回転板６９Ｌがコイルスプリング７３Ｌのバネ力で図７中反時計回り方向に回転させられると共に、回転板６９Ｒがコイルスプリング７３Ｒのバネ力で図７中時計回り方向に回転させられる。
【００５４】
この様な回転板６９Ｌ，６９Ｒの回転は回転軸６６Ｌ，６６Ｒを介してアーム６７Ｌ，６７Ｒに伝達される。これにより、アーム６７Ｌ及びレンズ押さえ軸６８Ｌが図１８（ａ）の矢印８６で示したように時計回り方向に回動変位させられると共に、アーム６７Ｒ及びレンズ押さえ軸６８Ｒが図１８（ａ）の矢印８７で示したように反時計回り方向に回動変位させられる。この様にレンズ押さえ軸６８Ｌ，６８Ｌおよび６８Ｒ，６８Ｒは、回転しながら降下して、図１９に示したようにメガネ５の左右の眼鏡レンズＬＬ及びＬＲを先端部でレンズ受軸１７ａ及び２８ａに対してそれぞれ押し付ける。
【００５５】
この際、眼鏡レンズＬＬ，ＬＲがレンズメータの前後方向において傾斜した状態で配設されていても、２つのレンズ押さえ軸（レンズ押さえ部材）６８Ｌ，６８Ｌがレンズ受軸１７ａの軸線（光軸ＯＬと一致）の両側を押さえ付け、２つのレンズ押さえ軸６８Ｒ，６８Ｒはレンズ受軸２８ａの軸線（光軸ＯＲと一致）の両側を押さえ付けるので、眼鏡レンズＬＬ，ＬＲの水平方向の傾きが修正された位置で、眼鏡フレームＭＦがフレーム保持板３６，３７の傾斜する対向面３６ａ，３７ａ間で正しく保持されることになる。この際、レンズ押さえ軸６８Ｌ，６８Ｌによる眼鏡レンズＬＬ，ＬＲの押さえ付け力は、コイルスプリング７３Ｌ，７３Ｒのバネ力のみでおこなわれることになる。
【００５６】
この後、演算制御回路８０は、駆動モータ７４を上述とは逆に所定数の駆動パルスで作動制御して、昇降部材７９を上昇させ、この昇降部材７９により係合片７０Ｌ，７０Ｒの先端部を上昇させることにより、回転板６９Ｌ，６９Ｒをコイルスプリング７３Ｌ，７３Ｒのバネ力に抗して上述とは逆に回転させ、アーム６７Ｌ，６７Ｒを図２０に矢印８８，８９で示したように上方を向く位置まで垂直に回転させる。この位置では、アーム６７Ｌ，６７Ｒに取り付けたレンズ押さえ軸６８Ｌ，６８Ｒがハルトマンプレート１７，２８の上方から左右に退避するので、レンズ押さえ軸６８Ｌ，６８Ｒが測定光束を遮らない状態となる。
（屈折特性の測定）
＜眼鏡レンズＬＬの屈折特性測定＞
この状態で演算制御回路８０は、測定光学系９ＬのＬＥＤ１２，１３を順番に点灯させて、眼鏡レンズＬＬの測定を行う。この際、ＬＥＤ１２からの測定光束は、ダイクロイックミラー１４Ｌ及び全反射ミラー１５で反射した後、コリメートレンズ１６により平行光束とされて眼鏡レンズＬＬに投光される。これに伴い、眼鏡レンズＬＬを透過した測定光束は、パターン板１７を透過して多数の測定光束となり、この多数の測定光束がフィールドレンズ１８の上面に投影される。このフィールドレンズ１８の上面に投影された多数の測定光束は、フィールドレンズ１６、反射ミラー１９，２０，２１、光路合成プリズム２２及び結像レンズ２３を介してＣＣＤ２４に案内される。この際、結像レンズ２３は、ＣＣＤ２４上にパター板１７のパターン像を結像させる。
【００５７】
また、ＬＥＤ１３からの測定光束は、ダイクロイックミラー１４Ｌを透過して全反射ミラー１５で反射した後、コリメートレンズ１６で平行光束にされて眼鏡レンズＬＬに投光される。これに伴い、眼鏡レンズＬＬを透過した測定光束は、パターン板１７を透過して多数の測定光束となり、この多数の測定光束がフィールドレンズ１８の上面に投影される。このフィールドレンズ１８の上面に投影された多数の測定光束は、フィールドレンズ１６、反射ミラー１９，２０，２１、光路合成プリズム２２及び結像レンズ２３を介してＣＣＤ２４に案内される。この際、結像レンズ２３は、ＣＣＤ２４上にパター板１７のパターン像を結像させる。
【００５８】
そして、演算制御回路８０は、ＣＣＤ２４に結像されたパター像の状態から眼鏡レンズＬＬの各部の屈折特性を測定して、眼鏡レンズＬＬの各部の屈折特性のマッピングデータを求める。この屈折特性としては、球威面度数（Ｓ），円柱度数（Ｃ），円柱軸角度（Ａ）等がある。
＜眼鏡レンズＬＲの屈折特性測定＞
この状態で演算制御回路８０は、測定光学系９ＲのＬＥＤ２５，２６を順番に点灯させて、眼鏡レンズＬＲの測定を行う。この際、ＬＥＤ２５からの測定光束は、ダイクロイックミラー１４Ｒ及び全反射ミラー１５で反射した後、コリメートレンズ２７により平行光束とされて眼鏡レンズＬＲに投光される。これに伴い、眼鏡レンズＬＲを透過した測定光束は、パターン板２８を透過して多数の測定光束となり、この多数の測定光束がフィールドレンズ２９の上面に投影される。このフィールドレンズ２９の上面に投影された多数の測定光束は、フィールドレンズ２９、反射ミラー３０，３１、光路合成プリズム２２及び結像レンズ２３を介してＣＣＤ２４に案内される。この際、結像レンズ２３は、ＣＣＤ２４上にパター板２８のパターン像を結像させる。
【００５９】
また、ＬＥＤ２６からの測定光束は、ダイクロイックミラー１４Ｒ及び全反射ミラー１５で反射した後、コリメートレンズ２７により平行光束とされて眼鏡レンズＬＲに投光される。これに伴い、眼鏡レンズＬＲを透過した測定光束は、パターン板２８を透過して多数の測定光束となり、この多数の測定光束がフィールドレンズ２９の上面に投影される。このフィールドレンズ２９の上面に投影された多数の測定光束は、フィールドレンズ２９、反射ミラー３０，３１、光路合成プリズム２２及び結像レンズ２３を介してＣＣＤ２４に案内される。この際、結像レンズ２３は、ＣＣＤ２４上にパター板２８のパターン像を結像させる。
【００６０】
そして、演算制御回路８０は、ＣＣＤ２４に結像されたパター像の状態から眼鏡レンズＬＬの各部の屈折特性を測定して、眼鏡レンズＬＲの各部の屈折特性のマッピングデータを求める。この屈折特性としては、球威面度数（Ｓ），円柱度数（Ｃ），円柱軸角度（Ａ）等がある。
【００６１】
また、演算制御回路６９は、この様にして求めた眼鏡レンズＬＬ，ＬＲの屈折特性（光学特性）を図示しない他の眼科装置に送信手段（ネットワークやケーブル，無線）を介して送信できる様になっている。尚、レンズメータの上部筐体２の正面に液晶表示器（表示手段）を設けて、この液晶表示器に測定した眼鏡レンズＬＬ，ＬＲの屈折特性のマッピング表示を行わせるようにしても良い。
（メガネ５の取り外し）
また、この様にして測定が行われている状態では、眼鏡フレームＭＦはコイルスプリング５１のバネ力によりフレーム保持板３６，３７間で挟持されているだけである。従って、フレーム保持板３６を手前側に引っ張ることにより、リンク板３８がコイルスプリング５１のバネ力に抗して図８中左方に移動させられて、回転板４７がリンク板３８と係合ピン４８を介して時計回り方向に回動させられる。一方、この回転によりリンク板３９が係合ピン４９を介して図８中左方に移動させられて、フレーム保持板３７がフレーム保持板３６から離反する方向に移動する。
【００６２】
この様にフレーム保持板３６を手前側に引っ張ることにより、フレーム保持板３６，３７の間隔を広げることができる。従って、測定後にメガネ５をフレーム保持板３６，３７間から取り外す場合には、フレーム保持板３６を手前側に引っ張って、フレーム保持板３６，３７の間隔を広げることにより、メガネ５をフレーム保持板３６，３７間から容易に取り外すことができる。
【００６３】
また、この取り外しにより、鼻当支持部材５７がコイルスプリングＳのバネ力により原状に復帰し、マイクロスイッチ６４がＯＦＦし、このＯＦＦ信号が演算制御回路８０に入力される。これにより演算制御回路８０は、駆動モータ５４を所定数の駆動パルスで作動制御してピニオン５５を回転させ、このピニオン５５によりギヤ５２を図８中反時計回り方向に回転させる。この回転に伴いギヤ５２の側面に突設した係合突部５３は、回転板４７の係合ピン５０に当接した後、この係合ピン５０を図８中反時計回り方向に回転させて、回転板４７を反時計回り方向に回転させる。
【００６４】
この回転板４７に回転に伴い、係合ピン４８，４９が回転板４７と一体に二点鎖線で示した位置から反時計回り方向に回転させられ、リンク板３８，３９がコイルスプリング５１の引張り力（バネ力）に抗して互いに反対方向に変位させられる。即ち、図８中、リンク板３８は図示を省略した位置から右方に実線で示した位置まで変位させられ、リンク板３９は図示を省略した位置から左方に実線で示した位置まで変位させられる。このリンク板３８が図８の実線で示した位置まで変位させられると、このリンク板３８の端部によりリミットスイッチ５６がＯＮさせられ、このＯＮ信号が演算制御回路８０に入力される。この演算制御回路８０は、リミットスイッチ５６からのＯＮ信号が入力されると、駆動モータ５４の作動を停止させる。
【００６５】
このリンク板３８，３９の相対変位により、フレーム保持板３６，３７が図８，図１５（ｂ）中、二点鎖線で示した位置から実線で示した位置まで矢印８２，８３で示した方向に変位させられて、フレーム保持板３６，３７の間隔が最大に広がり、次の測定に備える状態となる。
（その他）
以上説明した実施例では、駆動モータ５４，７４にパルスモータを用いて、駆動モータ５４，７４を所定数の駆動パルスで所定回転数だけ回転制御させる様にしたが、必ずしもこれに限定されるものではない。例えば、駆動モータ５４，７４にＤＣモータを用いることもできる。
【００６６】
また、フレーム保持板３６，３７をリンク板３８，３９、係合ピン４８，４９及び回転板４７を介して連動させることにより、フレーム保持板３６，３７同士を相対接近・相対離反の同期を図るようにしたが、必ずしもこれに限定されるものではない。例えば、各フレーム保持板３６，３７をエアシリンダ及びエア回路を用いて互いに接近離反できるように構成することもできる。要は、フレーム保持板３６，３７同士を相対接近・相対離反の同期を図ることができれば、他の構成を採用しても良い。
【００６７】
以上説明したこの発明の実施の形態の屈折特性測定方法では、メガネ５の左右の眼鏡レンズＬＬ，ＬＲを左右一対の測定光学系９Ｌ，９Ｒの光路途中のレンズ受（レンズ受軸１７ａ，２８ａ）でそれぞれ点で支持させて、前記眼鏡レンズＬＬ，ＬＲの眼鏡フレームＭＦを前後方向から一対のフレーム保持部材（フレーム保持板３６，３７）で保持させる様にしている。そして、この状態で前記眼鏡レンズＬＬ，ＬＲをレンズ押さえ部材（レンズ押さえ軸６８Ｌ，６８Ｒ）で前記レンズ受（レンズ受軸１７ａ，２８ａ）に対して押圧支持させることにより、フレーム保持部材（フレーム保持板３６，３７）による前記眼鏡フレームＭＦの保持状態を修正させる様にしている。しかも、修正後は、前記レンズ押さえ部材（レンズ押さえ軸６８Ｌ，６８Ｒ）を前記測定光学系９Ｌ，９Ｒの測定光路から退避させて、前記眼鏡レンズＬＬ，ＬＲを透過する前記レンズ受（レンズ受軸１７ａ，２８ａ）の周囲の測定光束を前記測定光学系９Ｌ，９Ｒの受光素子（ＣＣＤ２４）に受光させて、前記受光素子（ＣＣＤ２４）からの測定信号を基に前記眼鏡レンズＬＬ，ＬＲの光学特性を演算制御回路８０により求めるようにしている。尚、測定光学系９Ｌ，９Ｒは受光素子（ＣＣＤ２４）を共用しているが、受光素子は測定光学系９Ｌ，９Ｒ毎に設けることができる。
【００６８】
この発明の実施の形態の屈折特性測定方法によれば、前記眼鏡レンズＬＬ，ＬＲを透過する前記レンズ受（レンズ受軸１７ａ，２８ａ）の周囲の測定光束がレンズ押さえ部材（レンズ押さえ軸６８Ｌ，６８Ｒ）やアーム６７Ｌ，６７Ｒにより阻害されないので、多数の測定光束を用いて眼鏡レンズの多数の箇所の屈折特性の測定を行う場合でも、眼鏡レンズの多数の箇所の屈折特性を正確に行うことができる。
【００６９】
また、この発明の実施の形態のレンズメータは、メガネ５の左右の眼鏡レンズＬＬ，ＬＲを点で支持可能な左右一対のレンズ受（レンズ受軸１７ａ，２８ａ）と、前記レンズ受（レンズ受軸１７ａ，２８ａ）に眼鏡レンズＬＬ，ＬＲが支持されたメガネ５の眼鏡フレームＭＦを前後方向から挟持可能な一対のフレーム保持部材（フレーム保持板３６，３７）と、前記レンズ受（レンズ受軸１７ａ，２８ａ）に支持された眼鏡レンズＬＬ，ＬＲに対して進退して前記眼鏡レンズＬＬ，ＬＲをレンズ受（レンズ受軸１７ａ，２８ａ）に対して押圧支持するレンズ押さえ部材（レンズ押さえ軸６８Ｌ，６８Ｒ）と、前記一対のレンズ受（レンズ受軸１７ａ，２８ａ）に載置される眼鏡レンズＬＬ，ＬＲの屈折特性を前記レンズ受（レンズ受軸１７ａ，２８ａ）の周囲の測定光束によりそれぞれ測定可能な左右一対の測定光学系９Ｌ，９Ｒと、前記測定光学系９Ｌ，９Ｒの受光素子（ＣＣＤ２４）からの測定信号を基に前記眼鏡レンズＬＬ，ＬＲの光学特性を求める演算制御回路８０を備えている。尚、測定光学系９Ｌ，９Ｒは受光素子（ＣＣＤ２４）を共用しているが、受光素子は測定光学系９Ｌ，９Ｒ毎に設けることができる。更に、このレンズメータの前記レンズ押さえ（レンズ押さえ軸６８Ｌ，６８Ｒ）は、前記眼鏡レンズＬＬ，ＬＲをレンズ受（レンズ受軸１７ａ，２８ａ）に対して押さえる押さえ位置と、前記押さえ位置及び前記測定光学系の光路から退避した退避位置との間で移動可能に設けられていると共に、前記レンズ受（レンズ受軸１７ａ，２８ａ）に眼鏡レンズＬＬ，ＬＲを支持させたメガネ５の眼鏡フレームＭＦが前記一対のフレーム保持部材（フレーム保持板３６，３７）で保持されると同時に前記レンズ押さえ（レンズ押さえ軸６８Ｌ，６８Ｒ）が退避位置にあるときに、前記演算制御回路８０は前記受光素子（ＣＣＤ２４）からの測定信号を基に前記眼鏡レンズの屈折特性を測定するように設定されている。
【００７０】
この発明の実施の形態のレンズメータによれば、前記眼鏡レンズＬＬ，ＬＲを透過する前記レンズ受（レンズ受軸１７ａ，２８ａ）の周囲の測定光束がレンズ押さえ部材（レンズ押さえ軸６８Ｌ，６８Ｒ）やアーム６７Ｌ，６７Ｒにより阻害されないので、多数の測定光束を用いて眼鏡レンズの多数の箇所の屈折特性の測定を行う場合でも、眼鏡レンズの多数の箇所の屈折特性を正確に行うことができる。
【００７１】
更に、この発明の実施の形態のレンズメータによれば、前記一対のフレーム保持部材（フレーム保持板３６，３７）の対向面３６ａ，３７ａは下方に向けて傾斜させられてテーパ状となっている。この構成によれば対向面３６ａ，３７ａは下方に向けて傾斜させられてテーパ状となっているので、眼鏡フレームＭＦをフレーム保持部材（フレーム保持板３６，３７）の対向面３６ａ，３７ａで保持させ（挟持させ）たとき、眼鏡フレームＭＦが対向面３６ａ，３７ａの傾斜により下方に押圧されて、眼鏡フレームＭＦの眼鏡レンズＬＬ，ＬＲがレンズ受（レンズ受軸１７ａ，２８ａ）に押圧されることになる。従って、眼鏡フレームＭＦがフレーム保持部材（フレーム保持板３６，３７）間から抜け外れる様なことはない。
【００７２】
また、この発明の実施の形態のレンズメータには、前記一対のフレーム保持部材（フレーム保持板３６，３７）間には前記レンズ受（レンズ受軸１７ａ，２８ａ）に載置される眼鏡レンズＬＬ，ＬＲの眼鏡フレームＭＦを検出するフレーム検出手段が設けられ、前記一対のフレーム保持部材（フレーム保持板３６，３７）を保持部材駆動手段（駆動モータ５４）により相対接近・離反させるフレーム保持機構が設けられ、前記レンズ押さえ（レンズ押さえ軸６８Ｌ，６８Ｒ）を前記押さえ位置と前記退避位置に移動駆動させる押さえ部材駆動手段（駆動モータ７４）が設けられている。また、前記演算制御回路８０は、フレーム検出手段からのフレーム検出信号に基づいて前記フレーム保持機構の保持部材駆動手段（駆動モータ５４）を作動制御することにより、前記一対のフレーム保持部材（フレーム保持板３６，３７）を互いに接近させて、前記眼鏡フレームＭＦを前記一対のフレーム保持部材（フレーム保持板３６，３７）間で保持させた後、前記押さえ部材駆動手段（駆動モータ７４）を作動制御して前記レンズ押さえ（レンズ押さえ軸６８Ｌ，６８Ｒ）を前記押さえ位置に移動させることにより、前記眼鏡レンズＬＬ，ＬＲをレンズ押さえ（レンズ押さえ軸６８Ｌ，６８Ｒ）で一旦押さえさせ、次に前記レンズ押さえ（レンズ押さえ軸６８Ｌ，６８Ｒ）を押さえ位置から退避位置まで移動させる様に設定されている。
【００７３】
この発明の実施の形態によれば、眼鏡フレームＭＦが一対のフレーム保持部材（フレーム保持板３６，３７）間に配設されると、この眼鏡フレームＭＦがフレーム検出手段で検出される。そして、演算制御回路８０は、このフレーム検出手段から出力されるフレーム検出信号に基づいて保持部材駆動手段（駆動モータ５４）を作動制御することにより、眼鏡フレームＭＦを一対のフレーム保持部材（フレーム保持板３６，３７）間で自動的に保持（挟持）することができる。また、演算制御回路８０は、押さえ部材駆動手段（駆動モータ７４）を作動制御して前記レンズ押さえ（レンズ押さえ軸６８Ｌ，６８Ｒ）を前記押さえ位置に移動させることにより、前記眼鏡レンズＬＬ，ＬＲをレンズ押さえ（レンズ押さえ軸６８Ｌ，６８Ｒ）で一旦押さえさせる様になっているので、フレーム保持部材（フレーム保持板３６，３７）間に挟持された眼鏡フレームＭＦ及び眼鏡レンズＬＬ，ＬＲの姿勢が傾斜していても、この傾斜を自動的に修正することができる。また、この修正後は、前記レンズ押さえ（レンズ押さえ軸６８Ｌ，６８Ｒ）を押さえ位置から退避位置まで自動的に移動させる様に設定されているので、操作が容易である。しかも、前記レンズ押さえ（レンズ押さえ軸６８Ｌ，６８Ｒ）を押さえ位置から退避位置まで移動させた状態で屈折測定を行うことにより、前記眼鏡レンズＬＬ，ＬＲを透過する前記レンズ受（レンズ受軸１７ａ，２８ａ）の周囲の測定光束がレンズ押さえ部材（レンズ押さえ軸６８Ｌ，６８Ｒ）やアーム６７Ｌ，６７Ｒにより阻害されないので、多数の測定光束を用いて眼鏡レンズの多数の箇所の屈折特性の測定を行う場合でも、眼鏡レンズの多数の箇所の屈折特性を正確に行うことができる。
【００７４】
更に、この発明の実施の形態のレンズメータでは、　前記フレーム検出手段が、左右一対の測定光学系の中央に配置され且つ前後に移動可能な鼻当支持部材５７と、前記鼻当支持部材５７を前側に付勢する付勢手段（コイルスプリングＳ）と、前記鼻当支持部材５７が後方に移動させられたときにこの移動を検出するスイッチ（マイクロスイッチ６４）を備えている。この発明の実施の形態によれば、眼鏡フレームＭＦの左右の眼鏡レンズＬＬ，ＬＲを鼻当支持部材５７により左右の測定光学系９Ｌ，９Ｒの測定光路に正確に配置できると共に、この鼻当支持部材５７を用いて眼鏡フレームＭＦを検出できる。
【００７５】
尚、鼻当支持部材５７は前後動する様に構成したものを用いたが、上下に昇降する様に構成した鼻当支持部材を用いて、眼鏡フレームＭＦの位置決めと眼鏡フレームＭＦの検出を行なうようにしても良い。
【００７６】
【発明の効果】
請求項１，２の発明は、以上説明したように構成したので、レンズ押さえにより測定光束が阻害されるのを防止して、正確な測定ができる。
【００７７】
また、請求項３の発明は、前記一対のフレーム保持部材の対向面が下方に向けて傾斜させられてテーパ状となっているので、眼鏡フレームをフレーム保持部材の対向面で保持させ（挟持させ）たとき、眼鏡フレームが対向面の傾斜により下方に押圧されて、眼鏡フレームの眼鏡レンズがレンズ受に押圧されることになる。従って、眼鏡フレームがフレーム保持部材間から抜け外れる様なことはない。
【００７８】
更に、演算制御回路は、フレーム検出手段から出力されるフレーム検出信号に基づいて保持部材駆動手段を作動制御することにより、眼鏡フレームを一対のフレーム保持部材間で自動的に保持（挟持）することができる。また、演算制御回路は、押さえ部材駆動手段を作動制御して前記レンズ押さえを前記押さえ位置に移動させることにより、前記眼鏡レンズをレンズ押さえで一旦押さえさせる様になっているので、フレーム保持部材間に挟持された眼鏡フレーム及び眼鏡レンズの姿勢が傾斜していても、この傾斜を自動的に修正することができる。また、この修正後は、前記レンズ押さえを押さえ位置から退避位置まで自動的に移動させる様に設定されているので、操作が容易である。しかも、前記レンズ押さえを押さえ位置から退避位置まで移動させた状態で屈折測定を行うことにより、前記眼鏡レンズを透過する前記レンズ受の周囲の測定光束がレンズ押さえ部材により阻害されないので、多数の測定光束を用いて眼鏡レンズの多数の箇所の屈折特性の測定を行う場合でも、眼鏡レンズの多数の箇所の屈折特性を正確に行うことができる。
【００７９】
更に、請求項５の発明では、　前記フレーム検出手段が、左右一対の測定光学系の中央に配置され且つ前後に移動可能な鼻当支持部材と、前記鼻当支持部材を前側に付勢する付勢手段と、前記鼻当支持部材が後方に移動させられたときにこの移動を検出するスイッチ備えているので、眼鏡フレームの左右の眼鏡レンズを鼻当支持部材により左右の測定光学系の測定光路に正確に配置できると共に、この鼻当支持部材を用いて眼鏡フレームを検出できる。
【図面の簡単な説明】
【図１】今発明に係るレンズメータの正面図である。
【図２】図１のレンズメータの右側面図である。
【図３】図１のレンズメータの平面図である。
【図４】図１のＡ１−Ａ１線に沿う断面図である。
【図５】図１〜図４に示したレンズメータの光学系及び制御回路の説明図である。
【図６】図２〜図４に示した連設筐体の後部側を外して、一部を断面して示したレンズメータの側面図である。
【図７】図６のレンズメータの連設筐体の前壁を背面側から見た説明図である。
【図８】図９のＡ２−Ａ２に沿うフレーム保持機構の説明の為の断面図である。
【図９】図１のレンズメータを矢印Ａ３方向から見た平面図である。
【図１０】図９のＡ４−Ａ４線に沿う断面図である。
【図１１】図８のＡ５−Ａ５線に沿う断面図である。
【図１２】図８のＡ６−Ａ６線に沿う断面図である。
【図１３】図８，図１１，図１２の１対のリンク板の一方の説明図である。
【図１４】図８，図１１，図１２の１対のリンク板の他方の説明図である。
【図１５】（ａ）は図１〜図１４に示したレンズメータを正面から見た作用説明図、（ｂ）は（ａ）の右側面図である。
【図１６】（ａ）は図１〜図１４に示したレンズメータを正面から見た作用説明図、（ｂ）は（ａ）の右側面図である。
【図１７】（ａ）は図１〜図１４に示したレンズメータを正面から見た作用説明図、（ｂ）は（ａ）の右側面図である。
【図１８】（ａ）は図１〜図１４に示したレンズメータを正面から見た作用説明図、（ｂ）は（ａ）の右側面図である。
【図１９】（ａ）は図１〜図１４に示したレンズメータを正面から見た作用説明図、（ｂ）は（ａ）の右側面図である。
【図２０】（ａ）は図１〜図１４に示したレンズメータを正面から見た作用説明図、（ｂ）は（ａ）の右側面図である。
【符号の説明】
１・・・レンズメータ
５・・・メガネ
９Ｌ，９Ｒ・・・測定光学系
１７ａ，２８ａ・・・レンズ受軸（レンズ受）
２４・・・ＣＣＤ（受光素子）
３６，３７・・・フレーム保持板（フレーム保持部材）
３６ａ，３７ａ・・・対向面（傾斜面）
５４・・・駆動モータ（保持部材駆動手段）
５７・・・鼻当支持部材
６４・・・マイクロスイッチ（スイッチ）
６８Ｌ，６８Ｒ・・・レンズ押さえ軸（レンズ押さえ部材）
７４・・・駆動モータ（押さえ部材駆動手段）
８０・・・演算制御回路
ＬＬ，ＬＲ・・・眼鏡レンズ
ＭＦ・・・眼鏡フレーム
Ｓ・・・コイルスプリング（付勢手段）
【図１】
2004045204.tif 000003
【図２】
2004045204.tif 000004
【図３】
2004045204.tif 000005
【図４】
2004045204.tif 000006
【図５】
2004045204.tif 000007
【図６】
2004045204.tif 000008
【図７】
2004045204.tif 000009
【図８】
2004045204.tif 000010
【図９】
2004045204.tif 000011
【図１０】
2004045204.tif 000012
【図１１】
2004045204.tif 000013
【図１２】
2004045204.tif 000014
【図１３】
2004045204.tif 000015
【図１４】
2004045204.tif 000016
【図１５】
2004045204.tif 000017
【図１６】
2004045204.tif 000018
【図１７】
2004045204.tif 000019
【図１８】
2004045204.tif 000020
【図１９】
2004045204.tif 000021
【図２０】
2004045204.tif 000022